(57)【要約】      （修正有）【課題】掛布団、ベッドカバーなどを開いた状態で直射日光に当てて乾かすことができる物干しスタンド構造を提供する。【解決手段】２つの支持フレーム１０、物干しスタンド杆２０及び組立てパイプフレーム３０を備える。支持フレームは、上端に結合部材１２が取り付けられた２つの支持杆１１を有する。支持杆は、結合部材から下方へ向かうに従って開き、それぞれ傾いて設置される。支持フレーム間の底部には、２つの支持杆１１間に接続された２つの横杆１３を有する。結合部材には、縦向きに取り付け孔１２１が穿設され、側部において調整螺合部材１２２が取り付け孔に挿着される。物干しスタンド杆２０は、吊り下げ横杆２３と縦向きに形成された２つの調整立杆２１を有し、調整立杆は、取り付け孔に挿設された後、調整螺合部材により固定される。組立てパイプフレーム３０は、結合部材間に枢着された横杆３１，３２と、横杆に交差状に取り付けられたＵ字状杆体３１０，３２０を有する。【選択図】図２
0003193257.tif 000002
【実用新案登録請求の範囲】
【請求項１】
２つの支持フレーム、物干しスタンド杆及び組立てパイプフレームを備える物干しスタンド構造であって、
支持フレームは、上端に結合部材が取り付けられた２つの支持杆を有し、２つの支持杆は、結合部材から下方へ向かうに従って開き、それぞれ傾いて設置され、２つの支持フレーム間の底部には、２つの支持杆間に接続された２つの横杆を有し、結合部材には、縦向きに取り付け孔が穿設され、側部において調整螺合部材が取り付け孔に挿着され、
物干しスタンド杆は、縦向きに形成された２つの調整立杆を有し、２つの調整立杆は、結合部材の取り付け孔に挿設された後、調整螺合部材が押し付けられて固定され、２つの調整立杆には、吊り下げ横杆が挿設されるキャップが頂部に設けられ、
組立てパイプフレームは、第１の横杆及び第２の横杆を有し、第１の横杆及び第２の横杆が２つの支持フレームの結合部材間に枢着され、第１の横杆及び第２の横杆にはＵ字状杆体がそれぞれ取り付けられ、
第１の横杆のＵ字状杆体の長さは、第２の横杆より僅かに大きく、第１の横杆のＵ字状杆体が第２の横杆のＵ字状杆体に嵌合されて交差されることを特徴とする物干しスタンド構造。
【請求項２】
２つの支持フレームの支持杆底部には、キャスタが取り付けられていることを特徴とする請求項１に記載の物干しスタンド構造。
【考案の詳細な説明】
【技術分野】
【０００１】
本考案は、物干しスタンド構造に関し、特に、掛布団、ベッドカバーなどを開いた状態で直射日光に当てて乾かす物干しスタンド構造に関する。
【背景技術】
【０００２】
図７に示すように、従来の物干しスタンド構造は、２つの支持フレーム４０と、物干しスタンド杆５０とを含む。２つの支持フレーム４０は、それぞれ２つの支持杆４１を有する。支持杆４１の上端には、結合部材４２がそれぞれ設けられ、２つの支持杆４１が結合部材４２により外方へ開いて支えられ、２つの支持フレーム４０間の底部には、２つの横杆４３が２つの支持杆４１間に接続されている。結合部材４２には、縦向きの取り付け孔４２１が穿設されている。物干しスタンド杆５０は、２つの縦向き調整立杆５１を有する。２つの調整立杆５１は結合部材４２の取り付け孔４２１に挿設される。２つの調整立杆５１は、吊り下げ横杆５３を挿設するキャップ５２を頂部に有する。この構造によりユーザは衣類を直射日光へ当てて乾かしたり、風に当てて乾かしたりして使用していた。
【０００３】
しかし上述した従来構造を詳しく見ると分かるように、従来の物干しスタンド構造は、物干しスタンド杆５０の吊り下げ横杆５３に衣類が掛けられていたため、衣類を掛けることが可能な空間が狭く、衣類間の間隔が理想的でなく、衣類を直射日光に当てて効果的に乾燥させることは困難であった。ユーザが掛布団、ベッドカバーなど大きめの洗濯物を直射日光に当てて乾かす際、掛布団、ベッドカバーを吊り下げ横杆５３上に掛けるだけでは、掛布団、ベッドカバーが吊り下げ横杆５３上で重なるため、直射日光に当てて乾かすことは困難で、実用的とは言えなかった。
【考案の概要】
【考案が解決しようとする課題】
【０００４】
本考案の目的は、衣類を干すことができる上、様々な形に変化させることができる２層式衣類用ハンバーであり、組立てパイプフレームの２つのＵ字状杆体を交差状に形成し、掛布団、ベッドカバーなどの大きめの洗濯物を掛け、掛布団、ベッドカバーが開かれたときの範囲を広げ、互いに重なる部分を減らし、掛布団、ベッドカバーを直射日光に当てて乾かす効果を高め、実用的な物干しスタンド構造を提供することにある。
【図面の簡単な説明】
【０００５】
【図１】本考案の一実施形態に係る物干しスタンド構造を示す斜視図である。
【図２】本考案の一実施形態に係る物干しスタンド構造を示す分解斜視図である。
【図３】本考案の一実施形態に係る物干しスタンド構造を示す側面図である。
【図４】本考案の一実施形態に係る物干しスタンド構造を示す部分拡大図である。
【図５】本考案の一実施形態に係る物干しスタンド構造の収納状態を示す斜視図である。
【図６】本考案の一実施形態に係る物干しスタンド構造の収納状態を示す側面図である。
【図７】従来技術の物干しスタンド構造を示す斜視図である。
【考案を実施するための形態】
【０００６】
図１〜図４を参照する。図１〜図４に示すように、本考案の一実施形態に係る物干しスタンド構造は、２つの支持フレーム１０、物干しスタンド杆２０及び組立てパイプフレーム３０を含む。２つの支持フレーム１０は、上端に結合部材１２が取り付けられた２つの支持杆１１を有し、２つの支持杆１１が結合部材１２により下方へ向かうに従って開き、傾いて形成される。２つの支持フレーム１０間の底部には、２つの支持杆１１間に接続された２つの横杆１３を有する。結合部材１２には、縦向きに取り付け孔１２１が穿設され、側部において調整螺合部材１２２を取り付け孔１２１に挿着させる。物干しスタンド杆２０は、縦向きに形成された２つの調整立杆２１を有する。２つの調整立杆２１は、結合部材１２の取り付け孔１２１に挿設された後、調整螺合部材１２２が押し付けられて固定される。２つの調整立杆２１は、吊り下げ横杆２３を挿設するキャップ２２が頂部に設けられている。組立てパイプフレーム３０は、第１の横杆３１及び第２の横杆３２を有し、第１の横杆３１及び第２の横杆３２が２つの支持フレーム１０の結合部材１２間に枢着され、第１の横杆３１及び第２の横杆３２にはＵ字状杆体３１０，３２０がそれぞれ取り付けられている。第１の横杆３１のＵ字状杆体３１０の長さは、第２の横杆３２より僅かに大きく、第１の横杆３１のＵ字状杆体３１０が第２の横杆３２のＵ字状杆体３２０に嵌合されて交差される。
【０００７】
図１〜図４を参照する。図１〜図４に示すように、本考案の一実施形態に係る物干しスタンド構造の２つの支持フレーム１０の底部において、２つの横杆１３が支持杆１１間に接続され、２つの支持フレーム１０の結合部材１２が物干しスタンド杆２０に取り付けられている。物干しスタンド杆２０の２つの調整立杆２１は、結合部材１２の取り付け孔１２１に挿設された後、結合部材１２の調整螺合部材１２２が押し付けられて固定される。２つの支持フレーム１０の結合部材１２間には、組立てパイプフレーム３０が配設される。組立てパイプフレーム３０は、第１の横杆３１及び第２の横杆３２を有し、第１の横杆３１及び第２の横杆３２の結合部材１２上に非同心円状に取り付けられ、第１の横杆３１及び第２の横杆３２のＵ字状杆体３１０とＵ字状杆体３２０とが交差されて互いに当接されている。
【０００８】
図１に示すように、衣類用ハンガーを実際に使用する際、組立てパイプフレーム３０の２つのＵ字状杆体３１０，３２０を交差して形成し、互いに接続されて傾斜角度が形成されている。この構成により衣類を直射日光に当てて乾かす際、物干しスタンド杆２０の吊り下げ横杆２３上に衣類用ハンガーを掛けたり、Ｕ字状杆体３１０，３２０上に掛けたりして２重層で衣類を乾かすことができるとともに、衣類を直射日光に当てて乾かす空間を増大させるとともに、衣類を掛ける容量を増やし、衣類の間隔が広がり、衣類間の風通しを良くし、衣類に直射日光及び風を当てて乾かす時間を短縮することができる。ユーザが掛布団、ベッドカバーなど大きめの洗濯物を直射日光に当てて乾かすときは、組立てパイプフレーム３０上に洗濯物を掛け、２つのＵ字状杆体３１０，３２０を互いに交差させて展開状に形成し、掛布団、ベッドカバーなどを開いて重なる部分を減らし、掛布団、ベッドカバーが直射日光に当たる範囲を大幅に増やすことができるため実用的である。
【０００９】
また、衣類用ハンガーを使用して収納する際、図４〜図６に示すように、組立てパイプフレーム３０の２つのＵ字状杆体３１０，３２０は、第１の横杆３１及び第２の横杆３２を介し、回転軸杆を中心に回転可能である。第１の横杆３１及び第２の横杆３２は、回転軸心ではないため、２つのＵ字状杆体３１０，３２０が回転されると、交差状が解かれてそれぞれ他側に向かって垂れた状態となる。物干しスタンド杆２０の調整立杆２１が、調整螺合部材１２２を介して下方に変位すると、最終的には両側の支持フレーム１０が内方へ折り畳まれ、収納を容易に行うことができる。この構成により、物干しスタンド構造は、収納する際の占有体積を減らし、収納及び保管を便利に行うことができる。
【００１０】
上述したことから分かるように、本考案の物干しスタンド構造は、一般の衣類を直射日光に当てて乾かすことができる上、２重層で衣類を干すことができる上、組立てパイプフレーム３０の２つのＵ字状杆体３１０，３２０が交差された状態に形成され、掛布団、ベッドカバーなど大きめの洗濯物が掛けられ、掛布団、ベッドカバーが開かれる範囲を広げ、互いに重なり合う部分を減らし、掛布団、ベッドカバーを直射日光に当てて乾かすことができるため、実用的である。
【符号の説明】
【００１１】
１０  支持フレーム
１１  支持杆
１２  結合部材
１３  横杆
２０  物干しスタンド杆
２１  調整立杆
２２  キャップ
２３  吊り下げ横杆
３０  組立てパイプフレーム
３１  第１の横杆
３２  第２の横杆
４０  支持フレーム
４１  支持杆
４２  結合部材
４３  横杆
５０  物干しスタンド杆
５１  調整立杆
５２  キャップ
５３  吊り下げ横杆
１１１  キャスタ
１２１  取り付け孔
１２２  調整螺合部材
３１０  Ｕ字状杆体
３２０  Ｕ字状杆体
４２１  取り付け孔
【図１】
0003193257.tif 000003
【図２】
0003193257.tif 000004
【図３】
0003193257.tif 000005
【図４】
0003193257.tif 000006
【図５】
0003193257.tif 000007
【図６】
0003193257.tif 000008
【図７】
0003193257.tif 000009